(57)【特許請求の範囲】
【請求項１】
無線アクセス方式としてＴＤＭＡ方式を使用し、１フレーム中の複数のスロットを同時に使用して複数の基地局との間で無線通信を行う機能を備えた移動通信端末装置において、
前記無線通信に使用する複数のスロットで各々受信された各受信データの位相情報をそれぞれ検出して保持する位相情報記憶手段と、
前記無線通信中の各スロットごとに、前記位相情報記憶手段に保持されている複数の位相情報のうち対応する位相情報に基づいて各スロットの受信データに同期した第１のクロックを生成する第１のクロック生成手段と、
前記位相情報記憶手段に保持されている複数の位相情報のうちの一つに基づいて第２のクロックを生成する第２のクロック生成手段と、
前記第１のクロックに同期して、受信データに対する受信信号処理及び送信データに対する送信信号処理をそれぞれ行う送受信部と、
前記第２のクロックに同期して受信データに対するＴＤＭＡ受信処理及び送信データに対するＴＤＭＡ送信処理をそれぞれ行うＴＤＭＡ部と、
前記無線通信中の各スロットごとに、対応する前記第１のクロックに同期して受信信号処理された受信データを前記第２のクロックに同期した受信データに変換して前記ＴＤＭＡ受信処理に供する第１の位相変換手段と、
前記無線通信中の各スロットごとに、前記第２のクロックに同期してＴＤＭＡ送信処理された送信データを対応する前記第１のクロックに同期した送信データに変換して前記送信信号処理に供する第２の位相変換手段と、
前記第１及び第２のクロック位相変換手段において受信データ及び送信データに発生する遅延を補正する遅延補正手段とを具備し、
かつ前記遅延補正手段は、
前記第１のクロックと第２のクロックとの間の位相差を検出する位相差検出手段と、
前記位相差検出手段により検出された位相差に応じて、前記位相変換前の受信データと前記位相変換後の送信データに発生する遅延量の総計値が常に一定となるように前記送信データに対し位相補正を行う回路と
を備えることを特徴とする移動通信端末装置。
【発明の詳細な説明】
【０００１】
【発明の属する技術分野】
この発明は、例えばＰＨＳ（Personal Handyphone System）のように無線アクセス方式として時分割多元接続（ＴＤＭＡ；Time Division Multiple Access）−時分割双方向多重（ＴＤＤ；Time Division Duplex）方式を採用したセルラ移動通信システムで使用される移動通信端末装置に係わり、特に複数のスロツトを使用して異なる基地局との間で同時に通信を行う機能を備えた移動通信端末装置に関する。
【０００２】
【従来の技術】
ＰＨＳは、図８に示すように４個の受信スロットと、これらの受信スロットと対をなす４個の送信スロットとを、同一無線周波数上で時分割多重することで１フレームを構成している。そして、移動局が通話や３２ｋbps のデータ通信等を行う場合には、例えば図９に示すように基地局から移動局に対し上記４対の送受信スロットの中から１対の空スロットＴ１，Ｒ１を選択して割り当てることで、基地局と移動局との間に無線リンクを形成するようにしている。
【０００３】
一方、最近では例えば高速ハンドオーバ又はシームレス・ハンドオーバと呼ばれる新たなハンドオーバ手順を実行する場合や、６４ｋbps のデータ通信を行う場合に、２対の送受信スロットを同時に使用して通信を行う方式が提唱されている。
【０００４】
シームレス・ハンドオーバとは、移動局の移動に伴い通信中の基地局から到来する信号の通信品質が劣化した場合に、この通信中の基地局との間の通信を中断せずにそのまま継続しながら、アイドルスロットを使用して切替先の基地局を検索する。そして、この検索結果をもとに選択した切替先基地局との間でリンクチャネルの確立手順及び接続制御手順を実行したのち、無線接続先をこの新たな基地局を切り替えるものである。このシームレス・ハンドオーバは、切替先基地局の検索中に切替元の基地局との間の通信が保持されるため、通信の中断時間が大幅に短縮されて通信品質を高く保持できる利点を有する。
【０００５】
ところで、このような６４ｋbps のデータ通信やシームレス・ハンドオーバを実施する場合に、移動局は２組の送受信スロットを同時に使用する。例えば、いま移動局が第１のスロット対Ｔ１，Ｒ１と、第２のスロット対Ｔ２，Ｒ２を同時に使用して通信を行うものとする。図１０はその動作を説明するためのタイミング図である。
【０００６】
この場合移動局は、各受信スロットＲ１，Ｒ２期間においてそれぞれ、受信し復調された信号から伝送レートクロックを再生し、この再生した伝送レートクロックに同期して復調信号を復号する。そして、この復号により得られた受信データをＴＤＭＡ部でバースト状のデータから連続データに変換し、この連続データを例えば音声復号処理して受話音声として出力する。一方、送信スロットＴ１，Ｔ２期間においてはそれぞれ、送信データをＴＤＭＡ部で連続データからバーストデータに変換したのち変調して基地局に向け送信する。このとき、上記ＴＤＭＡ部におけるＴＤＭＡ送信処理は、上記受信スロットＲ１，Ｒ２のうち時間的に後方に位置するスロットＲ２において再生した伝送レートクロックに同期して行われる。
【０００７】
ところが、このような構成には次のような問題があった。すなわち移動局では、受信に際し各受信スロットＲ１，Ｒ２にてそれぞれ再生した伝送レートクロックをそのままＴＤＭＡ部のＴＤＭＡ受信処理に供し、一方送信に際しては受信スロットＲ２で再生した伝送レートクロックをもとに送信スロットＴ１，Ｔ２の両方における送信データのＴＤＭＡ送信処理を行っている。
【０００８】
このとき、例えば６４ｋbps のデータ通信を行う場合のように、二つのスロット対Ｔ１，Ｒ１及びＴ２，Ｒ２の通信先が同じ基地局であれば、各受信スロットＲ１，Ｒ２にて再生した伝送レートクロックは同位相となるため、ＴＤＭＡ部での受信処理及び送信処理に支障が生じる心配は少ない。
【０００９】
しかし、シームレス・ハンドオーバにおける基地局検索動作のように、二つのスロット対Ｔ１，Ｒ１及びＴ２，Ｒ２の通信先が別の基地局であると、基地局間の同期の精度や基地局ごとのクロック精度の違い、移動局とそれぞれの基地局との間の距離差による伝播遅延の違い等により、二つの受信スロットＲ１，Ｒ２で再生された伝送レートクロックの位相は相互に異なることがある。
【００１０】
そして、このような位相が異なる二つの再生クロックをそのままＴＤＭＡ部に供給すると、ＴＤＭＡ部においてクロック位相に乱れが発生し、ＴＤＭＡ受信処理が正しく行われなくなる場合がある。一方、例えば受信スロットＲ２で再生された伝送レートクロックを使用して、送信スロットＴ１，Ｔ２の両方のＴＤＭＡ送信処理を行うと、送信スロットＴ１におけるバースト送信タイミングがその通信相手の基地局から到来するフレームのタイミングに対しずれてしまい、この結果ＡＲＩＢのＳＴＤ−２８において規定された送信ジッタの許容値を満たせなくなり、基地局における受信特性を劣化させるおそれがある。
【００１１】
【発明が解決しようとする課題】
以上述べたように１フレーム中の複数のスロットを同時に使用して異なる基地局との間で無線通信を行う場合に、従来の移動通信端末装置は各受信スロットにてそれぞれ再生した伝送レートクロックをそのままＴＤＭＡ部のＴＤＭＡ受信処理に供し、一方送信に際しては任意の受信スロットで再生した伝送レートクロックをもとに各送信スロットにおける送信データのＴＤＭＡ送信処理を行っている。
【００１２】
このため、ＴＤＭＡ部に供給されるクロックに位相の乱れが発生してＴＤＭＡ受信処理が不安定になったり、また送信に際しては基地局に対する送信タイミングの乱れが発生して通信品質の劣化を生じるという問題点がある。
【００１３】
また、このような不具合を回避するために、送受信回路部及びＴＤＭＡ部をそれぞれ２組設けることが考えられる。しかし、このような構成では回路規模の大形化と消費電力の増加を招く。これは、小形軽量化と、待受時間及び通信時間の延長が最重要課題となっている移動通信端末装置にあって、きわめて好ましくない。
【００１４】
この発明は上記事情に着目してなされたもので、その目的とするところは、各スロットごとにその伝送クロック位相が異なる場合でも、送受信処理及びＴＤＭＡ送受信処理をそれそれ適切なタイミングで正確に行えるようにし、さらに送信ジッタの発生を抑制して、通信品質の向上を図り得る移動通信端末装置を提供することにある。
【００１５】
【課題を解決するための手段】
上記目的を達成するためにこの発明は、無線アクセス方式としてＴＤＭＡ方式を使用し、１フレーム中の複数のスロットを同時に使用して複数の基地局との間で無線通信を行う機能を備えた移動通信端末装置において、
上記無線通信に使用する複数のスロットで各々受信された各受信データの位相情報をそれぞれ検出して保持し、無線通信中の各スロットごとに、上記保持された複数の位相情報のうち対応する位相情報に基づいて各スロットの受信データに同期した第１のクロックを生成すると共に、上記保持された複数の位相情報のうちの一つに基づいて第２のクロックを生成する。そして、無線通信中の各スロットごとに、対応する上記第１のクロックに同期して受信信号処理された受信データを上記第２のクロックに同期した受信データに変換してＴＤＭＡ受信処理に供すると共に、上記第２のクロックに同期してＴＤＭＡ送信処理された送信データを対応する上記第１のクロックに同期した送信データに変換して上記送信信号処理に供するように構成する。
さらに、上記受信データの位相変換及び送信データの位相変換に際して受信データ及び送信データに発生する遅延を補正する遅延補正手段を備え、この遅延補正手段において、上記第１のクロックと第２のクロックとの間の位相差を検出し、この検出された位相差に応じて上記位相変換前の受信データと上記位相変換後の送信データに発生する遅延量の総計値が常に一定となるように上記送信データに対し位相補正を行うように構成したものである。
【００１６】
従ってこの発明によれば、変復調処理等のように各スロットの伝送クロック位相に同期した処理が要求される送受信回路部には各スロットの伝送クロック位相に同期した第１のクロックが供給されて信号処理が行われ、一方各スロットとも共通のクロックに同期した処理が要求されるＴＤＭＡ部には第２のクロックが供給されてＴＤＭＡ送受信処理が行われる。また、これらの送受信回路部とＴＤＭＡ部との間では、受信データに対する第１のクロックから第２のクロックへの乗せ替えと、送信データに対する第２のクロックから第１のクロックへの乗せ替えがそれぞれ行われる。
【００１７】
従って、各スロットごとにその伝送クロック位相が異なる場合でも、その位相差に影響を受けることなく、どのスロットにおいても正確な信号処理を行うことができ、これにより複数の基地局との間でいずれも高品質の同時無線通信を行うことができる。
【００１９】
このように構成することで、第１のクロックから第２のクロックへの乗せ替え又は第２のクロックから第１のクロックへの乗せ替えに際して発生する遅延量は補正され、これにより第１及び第２のクロック間の位相差が如何なる値であっても遅延量は常に一定値に抑えられる。従って、送信ジッタを常に規格範囲内に抑制して通信品質を高く保つことができる。
【００２０】
【発明の実施の形態】
以下、図面を参照してこの発明に係わる実施形態を説明する。
図１は、この発明に係わる移動通信端末装置の一実施形態であるＰＨＳ端末の要部構成を示す回路ブロック図である。
【００２１】
同図において、図示しない基地局から送信された無線信号は、アンテナ１で受信されたのち無線部（ＲＦ部）２に入力され、ここで中間周波数又はベースバンド周波数にダウンコンバートされて受信回路部３に入力される。受信回路部３は、復調部３１と、復号部３２と、受信クロック乗替部３３とを備えている。復調部３１では、上記ＲＦ部２から出力された受信信号の復調処理が行われる。復号部３２では、上記復調部３１で復調された受信信号の復号処理が行われ、これにより再生された受信データは後述する受信クロック乗替部３３を介してＴＤＭＡ部６に入力される。
【００２２】
ＴＤＭＡ部６では、上記受信データをバーストデータから連続データに変換するための処理が行われる。このＴＤＭＡ部６から出力された受信連続データは、例えば通話データであれば図示しない通話信号処理部でアナログ信号に変換されてスピーカから拡声出力され、またデータ通信によって得られるテキストデータや画像データ等であれば、制御部によってメモリに記憶されると共にディスプレイに表示される。
【００２３】
これに対し、図示しない通話信号処理部から出力された通話データ、又は制御部から出力された制御データ等は、ＴＤＭＡ部６で連続データからバーストデータに変換されて、１フレーム中の自己に割り当てられたスロットに挿入される。そして、この送信バーストデータは送信回路部４に入力される。
【００２４】
送信回路部４は、送信クロック乗替部４１と変調部４２とを備える。そして、上記送信バーストデータを、後述する送信クロック乗替部４１を経たのち変調部４２に入力してここで変調する。この変調部４２から出力された送信信号はＲＦ部２に入力され、ここで無線周波信号にアップコンバートされると共に所定の送信レベルに増幅されたのち基地局に向けアンテナ１から送信される。
【００２５】
ところで、本実施形態の装置には、この発明に係わる回路としてクロック再生部５が設けてある。クロック再生部５は、各スロットごとにその受信信号に含まれる周期成分をもとに伝送レートクロックを生成するもので、次のように構成される。図２はその構成を示す回路ブロック図である。
【００２６】
すなわち、クロック再生部５は、位相誤差検出部５１と、レジスタ制御部５２と、位相値レジスタ部５３と、クロック位相制御部５４とを備えている。このうち先ず位相誤差検出部５１は、通信に使用中の各受信スロットごとに、前記復調部３１から出力された受信信号から周期成分を抽出して、この抽出した周期成分と基準伝送レートクロックとの間の位相誤差を検出する。
【００２７】
位相値レジスタ部５３は、メインスロット用位相値レジスタ５５と、サブスロット用位相値レジスタ５６と、これらのレジスタ５５，５６を択一的に選択する一対の切替スイッチ５７，５８とから構成される。
【００２８】
メインスロット用位相値レジスタ５５は、通信中の複数のスロットのうち任意の１スロット（以後メインスロットと称する）において検出された位相誤差、つまりメインスロット位相値を保持するために使用される。これに対しサブスロット用位相値レジスタ５６は、上記メインスロット以外の通信スロット（以後サブスロットと称する）において検出された位相誤差、つまりサブスロット位相差を保持するために使用される。
【００２９】
レジスタ制御部５２は、ＴＤＭＡ部６から発生されるスロット情報に応じて上記切替スイッチ５７，５８を切替制御する。例えば、メインスロット期間には、位相誤差検出部５１から出力されたメインスロット位相値を上記メインスロット用位相値レジスタ５５に入力して保持させると共に、このメインスロット用位相値レジスタ５５に保持されたメインスロット位相値をサブスロット位相値の代わりにクロック位相制御部５４に供給する。一方、サブスロット期間には、位相誤差検出部５１から出力されたサブスロット位相値をサブスロット用位相値レジスタ５６に入力して保持させると共に、このサブスロット用位相値レジスタ５６に保持されたサブスロット位相値をクロック位相制御部５４へ供給する。
【００３０】
クロック位相制御部５４は、上記メインスロット用位相値レジスタ５５から供給されたメインスロット位相値と、サブスロット用位相値レジスタ５６から供給されたサブスロット位相値と、基準伝送レートクロックとをもとに、送受信回路用伝送レートクロック（第１のクロック）と、ＴＤＭＡ部用伝送レートクロック（第２のクロック）とをそれぞれ生成する。図３はその構成の一例を示す回路図である。
【００３１】
すなわち、クロック位相制御部５４は、２個のセレクタ５４１，５４２と、Ｎ段シフトレジスタ５４３とを有する。Ｎ段シフトレジスタ５４３は、基準伝送レートクロックをそのビットレートのＮ倍のクロックに同期してシフトし、１からＮまでの各段のシフトクロックを上記各セレクタ５４１，５４２にそれぞれ供給する。
【００３２】
セレクタ５４１は、上記各段（１〜Ｎ）のシフトクロックの中から、上記位相値レジスタ部５３からメインスロット位相値として供給された位相値に対応するシフトクロックを選択し、これをＴＤＭＡ部用伝送レートクロックとしてＴＤＭＡ部６に供給する。
【００３３】
セレクタ５４２は、上記各段（１〜Ｎ）のシフトクロックの中から、上記位相値レジスタ部５３からサブスロット位相値として供給された位相値に対応するシフトクロックを選択し、これを送受信回路用伝送レートクロックとして受信回路部３及び送信回路部４にそれぞれ供給する。
【００３４】
一方、受信回路部３に設けられた受信クロック乗替部３３、及び送信回路部４に設けられた送信クロック乗替部４１は、それぞれ次のように構成される。図４（ａ），（ｂ）はその構成の一例を示す回路図である。
【００３５】
すなわち、先ず受信クロック乗替部３３は、図４（ａ）に示すように１個のラッチ回路により構成される。そして、乗替前の受信データ、つまり前記送受信回路用伝送レートクロックにより復調及び復号処理が施された受信データを、上記ラッチ回路においてＴＤＭＡ部用伝送レートクロックに同期して１ビットずつラッチし、そのラッチ出力を乗替後の受信データとして出力する。
【００３６】
一方、送信クロック乗替部４１は、図５に示すように１個のラッチ回路４１１と、遅延補正部４１２とから構成される。そして、ＴＤＭＡ部６から出力された乗替前の送信データを、ラッチ回路４１１において送受信回路用伝送レートクロックに同期して１ビットずつラッチし、そのラッチ出力を遅延補正部４１２に入力する。遅延補正部４１２は、上記受信クロック乗替部３３におけるラッチ処理により受信データに発生する遅延量と、送信クロック乗替部４１のラッチ回路４１１におけるラッチ処理により送信データに発生する遅延量との合計値が、送受信回路用伝送レートクロックとＴＤＭＡ部用伝送レートクロックとの間の位相差に関係なく常に一定となるように補正する。
【００３７】
次に、以上のように構成された端末装置の動作を説明する。
いま例えば、１フレーム中のスロットＲ１，Ｔ１を使用してある基地局との間で通信を行っている状態で、シームレス・ハンドオーバを行うべくアイドル・スロットＲ２，Ｔ２を使用して周辺基地局の検索及び無線リンクチャネルの確立手順を実行したとする。
【００３８】
そうすると、先ず受信系では次のような動作が行われる。
すなわち、通信に使用中の受信スロットＲ１，Ｒ２においてそれぞれ異なる基地局から到来した無線信号は、アンテナ１を介してＲＦ部２で受信される。そしてその受信信号は、受信回路部３に入力されて復調部３１で復調されたのち、復号部３２で復号される。
【００３９】
またこのとき、上記受信信号はクロック再生部５に入力され、ここでクロックの生成が行われる。すなわち、クロック再生部５では、まず位相誤差検出部５１において受信信号から周期成分が抽出され、この周期成分と基準伝送レートクロックとの間の位相誤差が検出される。そして、これにより検出された各受信スロットＲ１，Ｒ２の位相誤差のうち、メインスロットに設定した受信スロットＲ１の位相誤差検出値がメインスロット用位相値レジスタ５５に記憶され、またサブスロットに設定した受信スロットＲ２の位相誤差検出値がサブスロット用位相値レジスタ５６に記憶される。
【００４０】
そして、これらのレジスタ５５，５６に保持されたメインスロット位相値及びサブスロット位相値は、切替スイッチ５８で選択されることにより、対応する受信スロットＲ１，Ｒ２の期間にクロック位相制御部５４にそれぞれ入力される。クロック位相制御部５４では、受信スロットＲ１期間にはメインスロット位相値をもとに送受信回路用伝送レートクロックが生成され、一方受信スロットＲ２期間にはサブスロット位相値をもとに送受信回路用伝送レートクロックが生成されて受信回路部３に供給される。すなわち、受信回路部３には、図６に示すように各受信スロットＲ１，Ｒ２ごとに、その受信データレートにそれぞれ同期した伝送レートクロックが供給されることになる。
【００４１】
したがって、復号部３２では、各受信スロットＲ１，Ｒ２ごとに、受信信号がその伝送レートに同期して生成された送受信回路用伝送レートクロックに同期して復号処理される。
【００４２】
これに対し上記レジスタ５５，５６に保持された各位相値のうち、メインスロット位相値は常時クロック位相制御部５４に入力される。そしてクロック位相制御部５４では、このメインスロット位相値をもとにＴＤＭＡ部用伝送レートクロックが生成され、ＴＤＭＡ部６に供給される。すなわち、ＴＤＭＡ部６には、図６に示すようにメインスロットＲ１の受信データレートに同期したＴＤＭＡ部用伝送レートクロックが常時供給される。
【００４３】
またこのとき、上記復号部３２から出力された受信データは、受信クロック乗替部３３において、送受信回路用伝送レートクロックからＴＤＭＡ部用伝送レートクロックへクロックの乗せ替えが行われる。このため、ＴＤＭＡ部用伝送レートクロックに同期した受信データとなってＴＤＭＡ部６に入力される。
【００４４】
従ってＴＤＭＡ部６では、いずれの受信スロットＲ１，Ｒ２で受信された受信データに対しても、共通のＴＤＭＡ部用伝送レートクロックに同期して、同一の位相条件でＴＤＭＡ受信処理が施される。
【００４５】
一方、送信系においては次のような動作が行われる。
すなわち、ＴＤＭＡ部６では先に述べた受信系の処理と同様に、送信スロットＴ１，Ｔ２で送信すべき送信データの各々に対し、共通のＴＤＭＡ部用伝送レートクロックに同期して、同一の位相条件でＴＤＭＡ送信処理が施される。そして、このＴＤＭＡ送信処理によりバースト状に変換されたスロットＴ１，Ｔ２の各送信データはそれぞれ、送信クロック乗替部４１においてＴＤＭＡ部用伝送レートクロックから各スロットＴ１，Ｔ２に同期した送受信回路用伝送レートクロックへ位相変換される。従って、各スロットＴ１，Ｔ２の送信データは、各スロットＴ１，Ｔ２の伝送レートに各々位相同期した状態で送信される。このため、各送信スロットＴ１，Ｔ２における送信データの送信タイミングの位相ずれは生じない。
【００４６】
また、上記受信クロック乗替部３３及び送信クロック乗替部４１では、それぞれクロック乗替処理によりＴＤＭＡ部用伝送レートクロックと送受信回路用伝送レートクロックとの間の位相差に相当する遅延が発生する。この遅延量を一定に保持しないと送信ジッタが発生する。図７は、送受信回路用伝送レートクロックの位相と遅延量との関係の一例を示したものである。この例では、図３に示すＮ段シフトレジスタの段数ＮをＮ＝１０とすることで、送受信回路用伝送レートクロックの位相を１０種類で表している。
【００４７】
同図に示すように、送受信回路用伝送レートクロックの位相がＴＤＭＡ部用伝送レートクロックの位相と一致している場合には、受信クロックの乗替処理及び送信クロックの乗替処理において発生する遅延量の合計は２ビットになる。これに対し送受信回路用伝送レートクロックの位相とＴＤＭＡ部用伝送レートクロックの位相が一致していない場合には、その位相差が如何なる値のときでも、受信クロックの乗替処理及び送信クロックの乗替処理において発生する遅延量の合計は１ビットとなる。したがって、この遅延量の差を補正しなければ、送受信回路用伝送レートクロックとＴＤＭＡ部用伝送レートクロックの位相が一致している場合と、一致していない場合とで１ビットの送信ジッタが発生する。
【００４８】
そこで、送信クロック乗替部４１では、遅延補正部４１２により次のように遅延量の補正処理が行われる。すなわち、遅延補正部４１２では、位相差検出回路４１３により送受信回路用伝送レートクロックと乗替前の送信データに含まれるＴＤＭＡ部用伝送レートクロックとの位相差が検出され、位相差が「０」か否かを表す選択制御信号がセレクタ４１５に与えられる。この選択制御信号を受けてセレクタ４１５は、上記ラッチ回路４１１から出力された送信データと、第２のラッチ回路４１４を通すことでさらに１ビット遅延した送信データとを択一的に選択し、この選択した送信データを遅延補正された送信データとして出力する。
【００４９】
このようにすることで、送信クロック乗替部４１から出力される送信データは、送受信回路用伝送レートクロックとＴＤＭＡ部用伝送レートクロックとの間の位相差によらず、その遅延量が常に一定となる。したがって、送信ジッタの発生は防止される。
【００５０】
以上述べたようにこの実施形態に係わるＰＨＳ端末装置では、使用中の２つのスロットＲ１，Ｒ２において受信した各受信信号から位相値をそれぞれ検出してレジスタ５５，５６に保持し、この保持された位相値に基づいて各受信スロットＲ１，Ｒ２の受信データに同期した送受信回路用伝送レートクロックを生成して送受信回路部３，４に供給すると共に、上記保持された各位相値のうちの一方をもとにＴＤＭＡ部用伝送レートクロックを生成してＴＤＭＡ部６に供給する。そして、無線通信中の各受信スロットＲ１，Ｒ２ごとに、受信回路部３からＴＤＭＡ部６へ供給される受信データについて受信クロック乗替部３３で送受信回路用伝送レートクロックからＴＤＭＡ部用伝送レートクロックへの乗替えを行い、一方クロックを無線通信中の各送信スロットＴ１，Ｔ２ごとに、ＴＤＭＡ部６から送信回路部４へ供給される送信データについて送信クロック乗替部４１でＴＤＭＡ部用伝送レートクロックから送受信回路用伝送レートクロックへの乗替えを行うようにしている。
【００５１】
したがってこの実施形態によれば、受信回路部３及び送信回路部４では、送受信回路用伝送レートクロックをもとに各スロットＲ１，Ｒ２、Ｔ１，Ｔ２のタイミングに同期した信号処理が行われ、一方ＴＤＭＡ部６では、ＴＤＭＡ部用伝送レートクロックをもとにＴＤＭＡ受信処理及びＴＤＭＡ送信処理が行われる。また、これらの送受信回路部３，４とＴＤＭＡ部６との間では、受信データ及び送信データに対するクロックの乗替えがそれぞれ行われる。このため、各スロットＲ１，Ｔ１、Ｒ２，Ｔ２ごとにその伝送クロック位相が異なる場合でも、その位相差に影響を受けることなく、どのスロットにおいても正確な信号処理を行うことができ、これにより複数の基地局との間でいずれも高品質の同時無線通信を行うことができる。
【００５２】
また、送信クロック乗替部４１に遅延補正部４１２を設けて、受信クロックの乗替え及び送信クロックの乗替えにより発生する遅延量の総計値が常に一定となるように送信データに対し位相補正を行っている。このため、送信データの遅延量は、送受信回路用伝送レートクロックとＴＤＭＡ部用伝送レートクロックとの間の位相差によらず常に一定となり、これにより送信ジッタの発生を防止することができる。
【００５３】
なお、この発明は上記実施形態に限定されるものではない。例えば、前記実施形態では１フレーム中の２スロットを同時に使用して異なる基地局との間で通信を行う場合を例にとって説明したが、３スロット以上を同時に使用して異なる基地局との間で通信を行う場合にも同様に適用できる。
【００５４】
また、前記実施形態ではＰＨＳを例にとって説明したが、ＴＤＭＡ−ＴＤＤ方式を採用しているシステムであればその他のシステムにも適用可能である。その他、クロック再生部５、送信及び受信クロック乗替部３３，４１の回路構成等についても、この発明の要旨を逸脱しない範囲で種々変形して実施できる。
【００５５】
【発明の効果】
以上詳述したようにこの発明に係わる移動通信端末装置では、無線通信に使用する複数のスロットで各々受信された各受信データの位相情報をそれぞれ検出して保持し、無線通信中の各スロットごとに、上記保持された複数の位相情報のうち対応する位相情報に基づいて各スロットの受信データに同期した第１のクロックを生成すると共に、上記保持された複数の位相情報のうちの一つに基づいて第２のクロックを生成する。そして、無線通信中の各スロットごとに、対応する上記第１のクロックに同期して受信信号処理された受信データを上記第２のクロックに同期した受信データに変換してＴＤＭＡ受信処理に供すると共に、上記第２のクロックに同期してＴＤＭＡ送信処理された送信データを対応する上記第１のクロックに同期した送信データに変換して上記送信信号処理に供するように構成する。
さらに、上記受信データの位相変換及び送信データの位相変換に際して受信データ及び送信データに発生する遅延を補正する遅延補正手段を備え、この遅延補正手段において、上記第１のクロックと第２のクロックとの間の位相差を検出し、この検出された位相差に応じて上記位相変換前の受信データと上記位相変換後の送信データに発生する遅延量の総計値が常に一定となるように上記送信データに対し位相補正を行うように構成したものである。
【００５６】
従ってこの発明によれば、各スロットごとにその伝送クロック位相が異なる場合でも、送受信処理及びＴＤＭＡ送受信処理をそれそれ適切なタイミングで正確に行うことができ、さらに送信ジッタの発生を抑制して、これにより通信品質の向上を図り得る移動通信端末装置を提供することができる。
【図面の簡単な説明】
【図１】  この発明に係わる移動通信端末装置の一実施形態であるＰＨＳ端末装置の要部構成を示す回路ブロック図。
【図２】  図１に示したＰＨＳ端末装置のクロック再生部の構成を示す回路ブロック図。
【図３】  図２に示した回路のうちクロック位相制御部の構成を示す回路ブロック図。
【図４】  図１に示したＰＨＳ端末装置の受信クロック乗替部及び送信クロック乗替部の構成を示す回路ブロック図。
【図５】  遅延補正機能を備えた送信クロック乗替部の構成の一例を示す回路ブロック図。
【図６】  図１に示したＰＨＳ端末装置の動作を説明するためのタイミング図。
【図７】  クロック乗替部で発生する遅延量を説明するための図。
【図８】  ＰＨＳで使用されるＴＤＭＡ−ＴＤＤ方式のフレーム構成を示す図。
【図９】  １チャネルの送受信スロットを使用して通信を行う場合の動作を説明するための信号波形図。
【図１０】  ２チャネルの送受信スロットを使用して通信を行う場合の動作を説明するための信号波形図。
【符号の説明】
１…アンテナ
２…無線部（ＲＦ部）
３…受信系の信号処理回路
４…送信系の信号処理回路
５…クロック再生部
６…ＴＤＭＡ部
３１…復調部
３２…復号部
３３…受信クロック乗替部
４１…送信クロック乗替部
４２…変調部
５１…位相誤差検出部
５２…レジスタ制御部
５３…位相値レジスタ部
５４…クロック位相制御部
５５…メインスロット用位相値レジスタ
５６…サブスロット用位相値レジスタ
５７，５８…切替スイッチ
４１１，４１４…ラッチ回路
４１２…遅延補正部
４１３…位相差検出回路
４１５，５４１，５４２…セレクタ
５４３…Ｎ段シフトレジスタ
【図１】
0003655142.tif 000002
【図２】
0003655142.tif 000003
【図３】
0003655142.tif 000004
【図４】
0003655142.tif 000005
【図５】
0003655142.tif 000006
【図６】
0003655142.tif 000007
【図７】
0003655142.tif 000008
【図８】
0003655142.tif 000009
【図９】
0003655142.tif 000010
【図１０】
0003655142.tif 000011